(57)【要約】【課題】冷涼感を与えることによって、高温多湿などの暑さを伴う劣悪な環境下においても、熱射病の予防、体力の消耗などの体調不良を防止して爽快感を与えることができるとともに、取り扱いに優れた装飾体を提供すること。【解決手段】本実施形態の布製ネックレス１００は、環形状となるように編み込まれた３つの紐状部材１０と、各紐状部材１０の第１の端部と当該第１の端部とは異なる第２の端部をそれぞれ束ねるとともに着脱可能な一対の留め具２０と、から構成される。【選択図】図１
2012239549.tif 000002
【特許請求の範囲】
【請求項１】
吸水性を有する繊維質からなる複数の紐状部材と、
各紐状部材の第１の端部と第２の端部を、端部毎に束ねつつ、束ねた第１の端部群及び第２の端部群を着脱可能に結合する一対の留め具と、
を備え、
前記各紐状部材が、毛細管現象を促すための隙間を有する繊維によって形成されており、
前記複数の紐状部材が編み込まれて形成されていることを特徴とする装飾体。
【請求項２】
請求項１に記載の装飾体において、
前記一対の留め具が人体の首または手首に着脱可能に形成される、装飾体。
【請求項３】
請求項１または２に記載の装飾体において、
前記紐状部材が、マイクロファイバー繊維で形成されている、装飾体。
【発明の詳細な説明】
【技術分野】
【０００１】
本発明は、冷涼感が得られる装飾体に関する。
【背景技術】
【０００２】
近年、ネックレスまたはブレスレットなどの装飾体に、磁性体、チタンなどの金属または、ゲルマニウムなどの半金属を含有させることによって、肩こりの解消または血流の改善など健康の増進を目的としたものが知られている。
【０００３】
特に、最近では、健康増進に有効で、かつ、安価な繊維質の基材にチタンを含有させて生成されたネックレスなどの装飾体が知られている（例えば、特許文献１）。
【０００４】
また、永久磁石が挿入されたカプセルをチェーンによって連結し、人体に対して変則的に磁力を提供し、有効な磁気治療効果を有する磁気ネックレスが知られている（例えば、特許文献２）。
【先行技術文献】
【特許文献】
【０００５】
【特許文献１】特開２００２−２０９６９号公報
【特許文献２】特開２００３−２３５６２０号公報
【発明の概要】
【発明が解決しようとする課題】
【０００６】
しかしながら、特許文献１または２の装飾体においては、肩こりの解消または血流の改善などの健康増進にあっては効果を得ることが可能であるもの、冷涼感を提供するものとして用いられていない。
【０００７】
本発明は、上記課題を解決するためになされたものであり、その目的は、を提供することにある。
【課題を解決するための手段】
【０００８】
（１）上記課題を解決するため、本発明の装飾体は、吸水性を有する繊維質からなる複数の紐状部材と、各紐状部材の第１の端部と第２の端部を、端部毎に束ねつつ、束ねた第１の端部群及び第２の端部群を着脱可能に結合する一対の留め具と、を備え、前記各紐状部材が、毛細管現象を促すための隙間を有する繊維によって形成されており、前記複数の紐状部材が編み込まれて形成されている構成を有している。
【０００９】
この構成により、本発明の装飾体は、例えば、水などの液体を含ませた場合に、毛細管現象により隙間に沿って液体が重力に無関係に浸透するので、全体に素早く均等に液体を浸透させること、及び、液体を全体に均等に保持することができる。
【００１０】
また、本発明の装飾体は、例えば三つ編みなど紐状部材を編み込むことによって外部から圧力を与えなくても、各紐状部材に適度な圧力を与えるように形成させることができるので、例えば、水などの液体を含有させた後に適切に圧力を加えれば、その状態を維持して液体を過度に含有することを防止することができる。
【００１１】
そして、本発明の装飾体は、隙間にあった空気と置換して当該隙間に液体を保持するとともに、大気と接触する部分を少なくし、急激な温度変化を防止することができる。
【００１２】
したがって、本発明の装飾体は、人体の首または手首などの肌に密着してる場合には、全体から液体が蒸発するときに必要となる気化熱を人体から吸収することによって、密着している肌全体に冷涼感を与えることができるとともに、人体の首または手首などの人体に装着した場合に、含有させた液体が紐状部材から流れ落ちることもなく、かつ、吸水された液体による冷却効果を長期間に渡って維持することができる。
【００１３】
この結果、本発明の装飾体は、冷涼感を与えることによって、高温多湿などの暑さを伴う劣悪な環境下においても、熱射病の予防、体力の消耗などの体調不良を防止して爽快感を与えることができるとともに、取り扱いに優れている。
【００１４】
（２）また、本発明の装飾体は、前記一対の留め具が人体の首または手首に着脱可能に形成される、構成を有している。
【００１５】
この構成により、本発明の装飾体は、水などの液体を含ませる場合に脱着することができるので、容易に液体の装飾体への含有を行うことができるとともに、人体の首または手首に装着して用いることができる。
【００１６】
（３）また、本発明の装飾体は、前記紐状部材が、マイクロファイバーで形成されている、構成を有している。
【００１７】
この構成により、本発明の装飾体は、各紐状部材の繊維表面には毛細管現象の発生を促すための隙間を簡易に形成された紐状部材を用いることができるので、製造コストをも低減させることができる。
【発明の効果】
【００１８】
本発明の装飾体は、人体の首または手首などの肌に密着してる場合には、全体から液体が蒸発するときに必要となる気化熱を人体から吸収することによって、密着している肌全体に冷涼感を与えることができるとともに、人体の首または手首などの人体に装着した場合に、含有させた液体が紐状部材から流れ落ちることもなく、かつ、吸水された液体による冷却効果を長期間に渡って維持することができるので、取り扱いに優れて快適に使用することができる。
【００１９】
したがって、本発明の装飾体は、冷涼感を与えることによって、高温多湿などの暑さを伴う劣悪な環境下においても、熱射病の予防、体力の消耗などの体調不良を防止して爽快感を与えることができるとともに、取り扱いに優れている。
【図面の簡単な説明】
【００２０】
【図１】本発明に係る布製ネックレスの一実施形態における形状を示す平面図である。
【図２】一実施形態における布製ネックレスの編み込み及び留め具を説明するための図である。
【図３】紐状部材に用いるマイクロファイバー繊維の構造を説明する為の図である。
【発明を実施するための形態】
【００２１】
次に、本発明に好適な実施の形態について、図面に基づいて説明する。
【００２２】
以下に説明する実施の形態は、水などの液体を含ませて冷涼感が得られる布製ネックレスに対して本願の装飾体を適用した場合の実施形態である。
【００２３】
［布製ネックレスの概要］
まず、図１を用いて本実施形態の布製ネックレス１００の概要について説明する。なお、図１は、布製ネックレス１００の一実施形態における形状を示す平面図である。
【００２４】
本実施形態に布製ネックレス１００は、図１に示すように、環（リング）形状を有し、３つの紐状部材１０が編み込まれて形成されている。そして、布製ネックレス１００は、水などの液体を含んだ状態で人体の首に装着して用いる着脱可能な構造を有している。
【００２５】
また、本実施形態の布製ネックレス１００は、人体の首または手首などの肌に密着させて用いられ、液体が蒸発するときに必要となる気化熱を人体から得ることによって、含んだ液体を蒸発させつつ、密着している肌に、または、当該肌を介して人体全体に冷涼感を与えることができるようになっている。すなわち、液体が蒸発する際には、その周辺の物体などから蒸発に必要となる気化熱を吸収することが知られており、本実施形態の布製ネックレス１００は、当該原理を用いて使用しているユーザに冷涼感を提供することができるようになっている。
【００２６】
さらに、本実施形態の布製ネックレス１００は、極細繊維によって形成し、保水力が高く、かつ、他の布地によって形成されたものより、冷涼感を長期間に渡って提供することができる、すなわち、冷却効果を持続することができるような構造を有している。
【００２７】
［布製ネックレスの構造］
次に、図２及び図３を用いて本実施形態の布製ネックレス１００の構造について説明する。なお、図２は、実施形態における布製ネックレス１００の編み込み及び留め具２０を説明するための図であり、図３は、本実施形態の紐状部材１０に用いるマイクロファイバー繊維ＭＦの構造を説明するための図である。
【００２８】
本実施形態の布製ネックレス１００は、図２（Ａ）及び（Ｂ）に示すように、環形状となるように編み込まれた３つの紐状部材１０と、各紐状部材１０の第１の端部と当該第１の端部とは異なる第２の端部をそれぞれ束ねるとともに着脱可能な一対の留め具２０と、から構成される。
【００２９】
各紐状部材１０は、図２（Ａ）に示すように、相互に所定の圧力がかかるように３つ編みによって形成される。所定の圧力としては、液体が含まれない完全に乾燥された状態の紐状部材１０における断面積を維持するような圧力であればよく、乾燥された状態の紐状部材１０における断面積以下にする圧力は必要ない。ただし、当該断面積以下にする圧力がかかるように、３つ編みによって形成されてもよい。  
【００３０】
なお、三つ編みとしては、中央及び左右それぞれの位置を交互に交代させながら紐状部材１０同士を巻き付けつつ、編み込んであればよい。
【００３１】
また、各紐状部材１０は、毛細管現象を促すために、かつ、吸水した液体の温度を保持し、冷却効果を長時間維持するために、隙間を有しつつ、極細の直径からなり、かつ、吸水性を有する繊維から形成される。
【００３２】
毛細管現象とは、例えば、水などの液体を含ませた場合に、微細な溝に沿って液体が重力に無関係に上昇する現象である。本実施形態の各紐状部材１０は、吸水時に全体に素早く均等に液体を浸透させるとともに、布製ネックレス１００として使用している際に、首の上部、すなわち、うなじ方向に沿って、液体を上昇させるために、毛細管現象を利用することができるように、微細な管（または溝）によって形成される。
【００３３】
通常、毛細管現象は、上昇量をｈ［ｍ］とし、液体の密度をρ［ｋｇ／ｍ３］、微細な管（又は溝）の直径をｄ［ｍ］、表面張力をＴ［ｎ／ｍ］及び液体と溝との接触部分における角度（接触角）をθ［ｒａｄ］とすると、（式１）によって表すことができる。ただし、ｇは、重力加速度［ｍ／ｓ２］を示す。
【００３４】
【数１】
2012239549.tif 000003
【００３５】
例えば、液体が水（温度１０℃）の場合には、密度ρ＝０．９９９７０×１０３［ｋｇ／ｍ３］、表面張力Ｔ＝０．００７５７［ｎ／ｍ］、接触角＝６０度及び上昇量ｈ＝０．２ｍ（４０ｃｍ長の布製ネックレス１００の半分の長さの上昇を想定）とすると、直径ｄは、約７．７μｍとなる。また、通常、接触角は、６０度以下であるので、溝の直径としては、これ以下であれば、毛細管現象を利用して紐状部材１０全体に液体を浸透させることができるとともに、布製ネックレス１００として使用している際に、首の上部、すなわち、うなじ方向に沿って、液体を上昇させることができるようになっている。
【００３６】
一方、繊維が液体を吸水する場合には、繊維間の隙間などの空気が保持されている空間に、当該空気を追い出して水が置換される。また、多くの液体が保持されていれば、急激な温度変化も起こらずに、かつ、大気に接触する面が減少し、温度変化の原因となる大気との熱交換が行われる部分も小さくすることができる。
【００３７】
そこで、本実施形態では、各紐状部材１０は、８μｍ以下の幅によって形成された隙間をその間に有する極細繊維から形成するようになっており、例えば、本実施形態の各紐状部材１０は、上記条件を具備する繊維として、化学的に組成された８μｍ以下の直径を有するポリアミド合成繊維またはポリエステルなどの繊維で構成されたマイクロファイバー製の布地を用いて形成されている。
【００３８】
このマイクロファイバー繊維ＭＦは、図３に示すように、毛細管現象を促すための微細な隙間Ｒが形成された繊維表面を有している。そして、マイクロファイバー繊維ＭＦの直径が約８μｍ以下であり、各隙間Ｒがそれよりも小さい幅を有しているので、冷却効果を有し、かつ、毛細管現象を促すための本実施形態の紐状部材１０を形成する繊維として適している。
【００３９】
留め具２０は、図２（Ｂ）に示すように、紐状部材１０の各端部にメス部２０ａとオス部２０ｂとをそれぞれ有している。また、留め具２０は、オス部２０ｂ及びメス部２０ａを有することによって布製ネックレス１００として人体の首または手首に着脱可能な構造を有している。
【００４０】
メス部２０ａ及びオス部２０ｂは、それぞれ、各紐状部材１０の端部、すなわち、第１端部と第２端部を束ねるとともに、束ねられた角端部を覆う化粧カバーの役割を有している。
【００４１】
メス部２０ａは、内部が空洞化された直方体によって形成されており、それぞれの側面分に穴部が形成されている。また、メス部２０ａは、オス部２０ｂと連結する面に開口部を有している。
【００４２】
オス部２０ｂは、メス部２０ａの天板面に沿って並設された三つの部位を有し、外側の２つの部位は、オス部２０ｂの穴部に嵌合可能に形成された突起形状から構成される。特に、外側の部位は、メス部２０ａの開口より側面側に幅広の形状を有する突起物を備え、側面方向から３つの部位の中心の部位に向かって力が加わった際に、当該中心の部位に向かって押仕込まれ、当該力が無いときには、反発して元の形状に復元する構造を有している。そして、当該各突起物は、メス部２０ａの各穴部に嵌合される。なお、オス部２０ｂがメス部２０ａに嵌合されたことをロックされるという。
【００４３】
［作用効果］
以上、本実施形態の布製ネックレス１００は、水などの液体を含ませた場合に、毛細管現象により、隙間に沿って液体が重力に無関係に浸透するので、全体に素早く均等に液体を浸透させること、及び、液体を全体に均等に保持することができる。
【００４４】
また、本実施形態の布製ネックレス１００は、三つ編みなど紐状部材１０を編み込むことによって外部から圧力を与えなくても、各紐状部材１０に適度な圧力を与えるように形成させることができるので、例えば、水などの液体を含有させた後に適切に圧力を加えれば、その状態を維持して液体を過度に含有することを防止することができる。
【００４５】
そして、本実施形態の布製ネックレス１００は、隙間にあった空気と置換して当該隙間に液体を保持するとともに、大気と接触する部分を少なくし、急激な温度変化を防止することができる。
【００４６】
したがって、本実施形態の布製ネックレス１００は、人体の首または手首などの肌に密着している場合には、全体から液体が蒸発するときに必要となる気化熱を人体から吸収することによって、密着している肌全体に冷涼感を与えることができるとともに、人体の首または手首などの人体に装着した場合に、含有させた液体が紐状部材１０から流れ落ちることもなく、かつ、吸水された液体による冷却効果を長期間に渡って維持することができるので、取り扱いに優れて快適に使用することができる。
【００４７】
なお、本実施形態の布製ネックレス１００として説明したが、布製のブレスレット、ヘアバンド、または、サポータとして用いることも可能である。ブレスレットとして用いる場合には、紐状部材１０の径を小さくし、ヘアバンドとして用いる場合には、伸縮性を有する繊維によって形成する。また、サポータとして用いる場合には、伸縮性を有し、かつ、人体に対する密着面積を大きくする。
【００４８】
また、本実施形態の布製ネックレス１００は、いわゆる三つ編みによって紐状部材１０を編み込んでいるが、二つ編みであっても、四つ編みであっても、または、それ以上であっても編み込んであればよい。
【符号の説明】
【００４９】
１０  …  紐状部材
２０  …  留め具
１００  …  布製ネックレス
【図１】
2012239549.tif 000004
【図２】
2012239549.tif 000005
【図３】
2012239549.tif 000006